(57)【要約】  バッグが、該バッグの前パネル（１０）に細長い開口部（２０）を有している。該開口部（２０）は、該開口部（２０）に配設されたジッパ（２２）によって再閉鎖可能となっている。ジッパは、互いに係合可能な第１と第２の雄型および雌型構造部を有した第１と第２の輪郭形成部材と、前記構造部を係合、解離させるためのスライダとを具備する。各輪郭形成部材は、更に、開口部（２０）に隣接させて前パネルに固定されたフランジ部を有している。フランジ部は、輪郭形成部材の係合可能部分から反対方向に突出している。不正開披の証拠となる特徴を形成するためにクロージャーシート（６０）がジッパを覆い、かつ、脆弱線（６４）に沿って剥がせるようになっている。
2008511507.tif 000002
【特許請求の範囲】
【請求項１】
細長い開口部にジッパ閉鎖体が配設されて成る壁部を有した再閉鎖可能な容器であって、前記ジッパ閉鎖体が、噛合可能な第１と第２の輪郭形成部材と、前記輪郭形成部材に沿いにスライド可能に該輪郭形成部材に装着されたスライダとを具備し、該スライダは、反対向きの各方向へスライド動作することによって前記輪郭形成部材を係合、解離させ、前記ジッパの輪郭形成部材の各々が、長手方向に延びる本体部と、長手方向に延びる横フランジ部とを具備し、前記本体部は、互いに重なり合うと共に、前記スライダが、その移動方向の一方の方向へ移動することによって押圧されると噛合し、かつ、スライダが反対方向に移動することによって分離する形状に形成されており、前記フランジ部が、前記各本体部から、互いに反対方向に突出して成る再閉鎖可能な容器。
【請求項２】
前記本体部は、その断面形状が互いに実質的に同一である請求項１に記載の再閉鎖可能な容器。
【請求項３】
前記フランジ部が、互いに実質的に同一平面腕にある請求項１または２に記載の再閉鎖可能な容器。
【請求項４】
前記ジッパ閉鎖体を包囲し、かつ、不正開披の証拠となる特徴を提供するクロージャーシートを有する請求項１〜３の何れか１項に記載の再閉鎖可能な容器。
【請求項５】
前記クロージャーシートが、前記ジッパの長手方向に沿ってジッパのフランジ部に取付けられている請求項４に記載の再閉鎖可能な容器。
【請求項６】
前記クロージャーシートは、脆弱線に沿って少なくとも一方のフランジ部に取付けられている請求項５に記載の再閉鎖可能な容器。
【請求項７】
前記再閉鎖可能な容器は再閉鎖可能なバッグである請求項１〜６の何れか１項に記載の再閉鎖可能な容器。
【請求項８】
前記開口部は、前記バッグの主要な平面に形成されている請求項７に記載の再閉鎖可能なバッグ。
【請求項９】
実質的に図面を参照して説明したバッグ。
【発明の詳細な説明】
【技術分野】
【０００１】
本発明は、「ジッパ」として知られるタイプの再閉鎖可能なファスナを有した再閉鎖可能なバッグその他の容器に関する。
【背景技術】
【０００２】
「ジッパ」は、通常はプラスチックである第１と第２の所定長さの材料を具備し、該第１と第２の所定長さの材料は、その全長に亘って互いに係合、解離可能で、かつ、再び係合させ、また解離させることのできる特定の形式の再閉鎖可能なファスナである。ジッパは、こうして、容器、例えばプラスチックバッグのための再閉鎖可能なファスナを形成することができる。ジッパを構成する所定長さの個々の材料は「輪郭形成部材」として知られている。該輪郭形成部材は、互いに押圧することによって係合することができ、また、引き離すことによって解離可能となっている。或いは、ジッパ沿いに移動可能なスライダをジッパに装着して、該ジッパを反対向きの第１と第２の方向へ移動させることによって、ジッパを係合、解離させるようにしてもよい。こうしたジッパは「スライダージッパ」として知られている。本発明は、スライダジッパファスナを有した再閉鎖可能なバッグその他の容器に関する。
【０００３】
【特許文献１】国際特許出願公開第０３／０９７３４１号明細書
【特許文献２】英国特許出願第０４０１５００．４号明細書
【特許文献３】英国特許出願第０４０６６２６．３号明細書
【発明の開示】
【発明が解決しようとする課題】
【０００４】
本発明が関連するバッグその他の容器に関連した特定の関心事は、「不正開披の証拠」となる特徴を提供することである。これは、不正開披の証拠となる特徴を導入した後に容器が開かれたことの証拠となる特徴である。
【課題を解決するための手段】
【０００５】
本発明は、細長い開口部にジッパ閉鎖体が配設されて成る壁部を有した再閉鎖可能な容器であって、前記ジッパ閉鎖体が、噛合可能な第１と第２の輪郭形成部材と、前記輪郭形成部材に沿いにスライド可能に該輪郭形成部材に装着されたスライダとを具備し、該スライダは、反対向きの各方向へスライド動作することによって前記輪郭形成部材を係合、解離させ、前記ジッパの輪郭形成部材の各々が、長手方向に延びる本体部と、長手方向に延びる横フランジ部とを具備し、前記本体部は、互いに重なり合うと共に、前記スライダが、その移動方向の一方の方向へ移動することによって押圧されると噛合し、かつ、スライダが反対方向に移動することによって分離する形状に形成されており、前記フランジ部が、前記各本体部から、互いに反対方向に突出して成る再閉鎖可能な容器を提供する。
【０００６】
好適には、その断面形状が互いに実質的に同一である。
【０００７】
有利には、前記フランジ部は、互いに実質的に同一平面腕にある。
【０００８】
好ましくは、前記再閉鎖可能な容器は、ジッパ閉鎖体を包囲し、かつ、不正開披の証拠となる特徴を提供するクロージャーシートを有する。
【０００９】
有利には、前記クロージャーシートは、前記ジッパの長手方向に沿ってジッパのフランジ部に取付けられている。
【００１０】
好ましくは、前記クロージャーシートは、脆弱線に沿って少なくとも一方のフランジ部に取付けられている。
【００１１】
前記再閉鎖可能な容器は、好ましくは、再閉鎖可能なバッグである。有利には、前記開口部は、前記バッグの主要な平面に形成されている。
【発明を実施するための最良の形態】
【００１２】
以下、添付図面を参照して、本発明の実施形態を一例として説明する。
図１〜図３には、ポリエチレンのような適当なプラスチックフィルム材料や、積層したプラスチックフィルム材料から作られたバッグが図示されている。該バッグは、矩形の前パネル１０、矩形の後パネル１２、および、襠（ガセット）を形成する２つの側部パネル１４を有している。前後パネル１０、１２は、プラスチックフィルム材料に熱と圧力とを付与することによって形成されたサイド融着部１６により側部パネル１４に接合されている。このバッグは、シーム部となる融着部１６によって個々のパネル１０、１２、１４を接合することにより形成することができようが、好ましい場合には、１枚のフィルム材料を折畳んで形成してもよい。後者の場合、バッグは、フィルムの長手の縁部を重ね合わせて互いに熱融着した長手の背面シーム部を有することとなろう。背面シーム部がある場合には、好ましくは、後パネル１２の中心部に配置される。１枚のフィルム材料から形成する他の形態では、フィルムの長手の縁部は、一方の側部融着部１６において互いに接合される。バッグが２枚以上のフィルムから形成される場合には、フィルムの毎葉は、好ましくは、側部融着部１６で互いに接合される。上述した全ての構成において、別個の毎葉のフィルム材料を接合しない側部融着部１６は、折畳んだフィルムをそれ自体を折曲げ線の両側で溶着することによって形成される。図１、２においてバッグの頂部は開いている。
【００１３】
上端近傍に、バッグの前パネル１０には、両端部２１が丸い矩形のスロット２０が形成されている。スロット２０は、その各端部がサイド融着部１６の近傍まで、バッグの幅の主要部分を横切って延在している。所定長さのジッパ２２がスロット２０内に配置され、該スロットを開閉する。ジッパ２２は、図３〜図６に一層詳細に示されている。該ジッパは、断面形状が実質的に同一の第１と第２の輪郭形成部材２４、２６と、輪郭形成部材２４、２６に沿って長手方向に移動可能に該輪郭形成部材に装着されたスライダ２８とを具備している。スライダ２８は本体３０を具備し、該本体は、第１と第２の空所３２、３４および中心隔壁３６を有している。スライダ２８には、更に、該スライダ２８をジッパ２２の輪郭形成部材２４、２６に沿って移動させるために、都合よく指でつまむことができるタブ３８が枢着されている。
【００１４】
一方の輪郭形成部材２４は、フランジ部４０および本体部４４を具備している。他方の輪郭形成部材２６は、フランジ部４２および本体部４６を具備している。フランジ部４０、４２は、各本体部４４、４６から反対方向に突出している。各本体部４４、４６は、２つの長手の畝部４８と２つの長手の溝部５０とを有しており、該畝部と溝部とが、互いに係合し輪郭形成部材間を閉じる形状の雄型および雌型構造部を形成する。スライダ２８は、ジッパの輪郭形成部材２４、２５沿いにスライド自在となっている。輪郭形成部材の各本体部４４、４６は、スライダ２８の各空所３２、３４内に受容される。スライダを輪郭形成部材沿いにスライドさせることによって、スライダが反対向きの各方向へ移動する際に、各本体部４４、４６の畝部４８と溝部５０とが係合、解離する。これは、図５に示す断面形状を有し、一方向（図５では左から右方向）への移動によって輪郭形成部材２４、２５を分離し、反対方向へ移動することによって輪郭形成部材を係合させる形状のスライダの中心隔壁３６によって達成される。
【００１５】
ジッパ２２のフランジ部４０、４２は、熱または圧力若しくは熱と圧力とを組み合わせることによて、開口部２０に隣接させてバッグの前パネル１０の内面部分５０、５２に固定される。
【００１６】
ジッパ２２のフランジ部４０、４２には、その外側の縁部に隣接させてクロージャー帯６０が取付けられている。クロージャー帯６０は、ポリエステルまたはナイロン層を積層したポリテンから形成される。該帯は、バリア積層材料(barrier laminate material)から形成される。クロージャー帯６０は、更に、スロットの丸い端部２１に隣接するジッパのフランジ部４０、４２の端部全体で該ジッパに固定されている。クロージャー帯６０は、熱および／または圧力シール部６２によって、上側のフランジ部４０、および、フランジ部４０、４２の端部の全体に接合されるように固定される。クロージャー帯は、また、脆弱線形成材料６４によって、下側のフランジ部４２に固定される。脆弱線形成材料は、ポリエチレンとポリブチレンをブレンドしたポリマーから成る帯を長手方向に被覆することによって形成することができよう。ポリブチレン成分を含むことによって、ポリブチレンよりも高いシール形成材料(seal-forming material)としてのポリエチレンの効果が低減され、シール適性が低くなる。ポリブチレン成分の量を選択することによって、所望のシール適性を得ることができる。
【００１７】
ジッパ２２は、「クロスウェブ技術(cross-web technology)」として知られる技術を用いて、最終的にバッグを形成するウェブ状のプラスチックフィルム材料に取付けられる。これは、ウェブの長手の方向に対して横方向、通常は垂直に、かつ、長手に所定間隔で、所定長さの個々のジッパがウェブに取付けられることを意味している。本出願人による国際特許出願公開第WO-03/097341号には、ウェブが移動中に該ウェブにジッパを取付けるための方法および装置が開示され、かつ、請求されており、また、本出願人による同時係属中の英国特許出願第0401500.4号には、移動中のウェブにジッパを取付けるための更なる方法および装置が記載され、かつ、請求されている。
【００１８】
スライダ４０は、ジッパの輪郭形成部材を所定長さに切断し、かつ、ウェブに取付ける前に輪郭形成部材に装着するようにできるであろう。本出願人による同時係属中の英国特許出願第0406626.3号には、これを達成するための装置および方法が記載され、かつ、請求されている。こうした装置および方法で使用するためのスライダアプリケータは、英国ロンドンN3 2TL、300リージェンツ パーク通り、シュープリームハウス(Supreme House, 300 Regents Park Road, London N32TL, UK)所在のシュープリームプラスチックス社(Supreme Plastics Limited)から市販されている。
【００１９】
図７は、事後に、図１〜図６に示したようなバッグを作るために用いることのできるウェブを作る方法を略示している。この方法は、クロスウェブ技術を用いている。適当なプラスチックフィルム材料１０２の供給ロール１００。連続ウェブ状の材料１０２は、先ず、上方へガイドローラー１０４の周囲に給送され、次いで水平に送られ、更なるガイドローラー１０６の周囲を通過し、巻取ローラー１０８送られる。ガイドローラー１０４、１０６の間において、該ウェブは、一連のステーションを通過し、以下の操作が実行される。第１のステーション１１０では、ウェブは停止し、パンチ（図７では単に略示されている）によって、該バッグを形成する材料にスロット２０が切断される。スロット２０が切断されると、該ウェブは再び前進を開始し、スロット２０が第２のステーション１２０に到達すると、該ウェブは再び停止する。該第２のステーションには、回転タレット１２２（略示する）が配置されており、該回転タレットは、加熱された圧力バー（図示せず）を用いて、予め所定長さに切断されたジッパ１２４をウェブに取付けるために用いられる。ジッパは、供給源（１２６にて略示する）から、スライダアプリケータ１２７を通過し、ガイドローラー１２９の周囲を通過して、タレット１２２へ供給される。スライダアプリケータ１２７では、上述したように、スライダ、がジッパに装着される。スライダは、その供給源１２８からスライダアプリケータへ供給される。
【００２０】
ジッパー帯が取付けられると、ウェブは第３のステーション１３０へ前進する。該第３のステーションでは、クロージャー帯６０がその供給源１３２から供給され、１３０で略示する熱および／または圧力を与えるシーリングバーによって取付けられる。こうしたシーリングバーは、それ自体公知である。１３４で略示するナイフによって、クロージャー帯は所定長さに切断される。次いで、ウェブは、その後の使用のために巻取ローラー１０８に巻き取られる。この工程は「リール・ツー・リール(reel-to-reel)」工程として知られている。
【００２１】
他の構成では、クロージャー帯は、ジッパ帯がウェブに取付けられる前に、ジッパ帯に融着される。クロージャー帯およびジッパ帯は、次いで、共通の供給源からウェブに給送され、第２と第３のステーション１２０、１３０に代わる単一のステーションで取付けられる。スライダは、スライダアプリケータによってジッパに装着される。
【００２２】
更なる修正された装置および方法では、巻取リールは、空のバッグを製造するバッグ製造機械に置換され、この空のバッグには（開いている底部から）充填し、融着することができる。こうしたバッグは「事前製造(pre-made)バッグ」として知られている。
【００２３】
更なる修正例では、バッグ製造機械は除外され、立形または横形の製袋充填シール機械によって置換されよう。こうした機械およびクロスウェブ技術と関連した使用方法は、上述した国際特許出願公開第WO-03/097341号、英国特許出願第0401500.4号および英国特許出願第0406626.3号に記載されている。従って、ウェブは、製袋充填シール工程の一部として使用される。
【００２４】
閉鎖し充填されたバッグの内容物に接近する必要があるときには、クロージャー帯６０を線６４で剥がしてジッパ２２に接近し、スライダ２８によって該ジッパを開く。こうして、クロージャー帯６０は不正開披の証拠となる特徴となることは明らかである。
【００２５】
修正されたバッグでは、クロージャー帯６０は、前壁１０の外側に配置され、ジッパへ接近するために剥がされるようにする。
【図面の簡単な説明】
【００２６】
【図１】再閉鎖可能なファスナが配設された開口部を有したバッグの上方部分の正面図である。
【図２】図１のバッグの斜視図である。
【図３】図１の矢視線III-IIIに沿う拡大断面図である。
【図４】図１の矢視線IV-IVに沿う拡大断面図である。
【図５】図４の矢視線V-Vに沿う拡大断面図である。
【図６】図３の矢視線VI-VIに沿う縮小断面図である。
【図７】図１のバッグの製造を示す略図である。
【符号の説明】
【００２７】
１０    前パネル
１２    後パネル
１４    側部パネル
１６    サイド融着部
２０    スロット（開口部）
２１    スロットの端部
２２    ジッパ
２４    第１の輪郭形成部材
２６    第２の輪郭形成部材
２８    スライダ
３０    スライダの本体
３２    空所
３４    空所
３６    中心隔壁
３８    タブ
４０    フランジ部（第１の輪郭形成部材）
４２    フランジ部（第２の輪郭形成部材）
４４    本体部（第１の輪郭形成部材）
４６    本体部（第２の輪郭形成部材）
４８    畝部
５０    溝部
６０    クロージャー帯
【図１】
2008511507.tif 000003
【図２】
2008511507.tif 000004
【図３】
2008511507.tif 000005
【図４】
2008511507.tif 000006
【図５】
2008511507.tif 000007
【図６】
2008511507.tif 000008
【図７】
2008511507.tif 000009
【国際調査報告】
2008511507.tif 000010
2008511507.tif 000011
2008511507.tif 000012
2008511507.tif 000013